【手続補正書】
【提出日】平成26年8月7日(2014.8.7)
【手続補正１】
【補正対象書類名】明細書
【補正対象項目名】発明の名称
【補正方法】変更
【補正の内容】
【発明の名称】情報表示制御システム、携帯端末、外部端末、および携帯端末の制御方法
【手続補正２】
【補正対象書類名】明細書
【補正対象項目名】０００１
【補正方法】変更
【補正の内容】
【０００１】
本発明は、タッチパネルを介した入力操作を支援する情報表示制御システム、携帯端末、外部端末、および携帯端末の制御方法に関する。
【手続補正３】
【補正対象書類名】明細書
【補正対象項目名】０００７
【補正方法】変更
【補正の内容】
【０００７】
本発明は、上述した事情に鑑みて案出されたものであり、物体の近接が検知された画面上の位置に表示されているコンテンツのオブジェクトの付加情報を周囲に表示し、ユーザの操作性を向上させる情報表示制御システム、携帯端末、外部端末、および携帯端末の制御方法を提供することを目的とする。
【手続補正４】
【補正対象書類名】明細書
【補正対象項目名】０００８
【補正方法】変更
【補正の内容】
【０００８】
本発明は、配信されたコンテンツを画面に表示する携帯端末と、前記携帯端末からの要求に応じた前記コンテンツを前記携帯端末に配信するサーバ装置と、前記コンテンツにおけるオブジェクトの付加情報の更新を要求する外部端末と、を含む情報表示制御システムであって、前記携帯端末は、前記画面に対する物体の近接を検知して近接検知信号を出力する近接検知部と、前記近接検知信号を基に、前記近接が検知された前記物体に対応する前記画面上の位置である近接対応位置に表示されている前記コンテンツの前記オブジェクトの付加情報を要求する情報要求部と、前記情報要求部からの要求に応じて前記サーバ装置から配信された前記オブジェクトの付加情報を前記画面の前記近接対応位置の周囲に表示させる表示制御部と、を備え、前記サーバ装置は、前記コンテンツを記憶するコンテンツ記憶部と、前記コンテンツにおける前記オブジェクトの付加情報を記憶する付加情報記憶部と、前記情報要求部からの要求に応じた前記オブジェクトの付加情報を前記付加情報記憶部から取得する付加情報制御部と、前記取得された前記オブジェクトの付加情報を前記携帯端末に配信する情報配信部と、特定の前記オブジェクトの付加情報の更新を許可するための更新許可情報を記憶する更新許可情報記憶部と、前記更新許可情報を基に、特定の前記オブジェクトの付加情報の更新を許可するか否かを認証する更新許可認証部と、を備え、前記付加情報制御部は、前記更新許可認証部において更新が認証された場合に、前記外部端末からの要求に応じて、前記付加情報記憶部に記憶されている特定の前記オブジェクトの付加情報を更新する。
【手続補正５】
【補正対象書類名】明細書
【補正対象項目名】０００９
【補正方法】変更
【補正の内容】
【０００９】
また、本発明は、上記情報表示制御システムに接続される携帯端末である。
【手続補正６】
【補正対象書類名】明細書
【補正対象項目名】００１０
【補正方法】変更
【補正の内容】
【００１０】
また、本発明は、上記情報表示制御システムに接続される外部端末である。
【手続補正７】
【補正対象書類名】明細書
【補正対象項目名】００１１
【補正方法】変更
【補正の内容】
【００１１】
また、本発明は、要求に応じて配信されたコンテンツ及びコンテンツにおけるオブジェクトの付加情報を画面に表示する携帯端末を制御する携帯端末の制御方法であって、前記携帯端末にコンテンツを配信した後に、前記携帯端末の画面に対する物体の近接に基づいて前記コンテンツの前記オブジェクトの付加情報が要求されれば、付加情報記憶部に記憶されている前記コンテンツの前記オブジェクトの付加情報を前記携帯端末に配信し、外部端末より、前記付加情報記憶部に記憶されている特定の前記オブジェクトの付加情報を更新する要求があれば、更新許可情報記憶部に記憶されている特定の前記オブジェクトの付加情報の更新を許可するための更新許可情報に基づいて、特定の前記オブジェクトの付加情報の更新を許可するか否かを認証し、更新が認証された場合には、前記外部端末からの要求に応じて、前記付加情報記憶部に記憶されている特定の前記オブジェクトの付加情報を更新する。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】０１４３
【補正方法】変更
【補正の内容】
【０１４３】
本発明は、物体の近接が検知された画面上の位置に表示されているコンテンツのオブジェクトの付加情報を周囲に表示し、ユーザの操作性を向上させる情報表示制御システム、携帯端末、外部端末、および携帯端末の制御方法として有用である。
【手続補正１１】
【補正対象書類名】特許請求の範囲
【補正対象項目名】全文
【補正方法】変更
【補正の内容】
【特許請求の範囲】
【請求項１】
配信されたコンテンツを画面に表示する携帯端末と、前記携帯端末からの要求に応じた前記コンテンツを前記携帯端末に配信するサーバ装置と、前記コンテンツにおけるオブジェクトの付加情報の更新を要求する外部端末と、を含む情報表示制御システムであって、
前記携帯端末は、
前記画面に対する物体の近接を検知して近接検知信号を出力する近接検知部と、
前記近接検知信号を基に、前記近接が検知された前記物体に対応する前記画面上の位置である近接対応位置に表示されている前記コンテンツの前記オブジェクトの付加情報を要求する情報要求部と、
前記情報要求部からの要求に応じて前記サーバ装置から配信された前記オブジェクトの付加情報を前記画面の前記近接対応位置の周囲に表示させる表示制御部と、を備え、
前記サーバ装置は、
前記コンテンツを記憶するコンテンツ記憶部と、
前記コンテンツにおける前記オブジェクトの付加情報を記憶する付加情報記憶部と、
前記情報要求部からの要求に応じた前記オブジェクトの付加情報を前記付加情報記憶部から取得する付加情報制御部と、
前記取得された前記オブジェクトの付加情報を前記携帯端末に配信する情報配信部と、
特定の前記オブジェクトの付加情報の更新を許可するための更新許可情報を記憶する更新許可情報記憶部と、
前記更新許可情報を基に、特定の前記オブジェクトの付加情報の更新を許可するか否かを認証する更新許可認証部と、を備え、
前記付加情報制御部は、
前記更新許可認証部において更新が認証された場合に、前記外部端末からの要求に応じて、前記付加情報記憶部に記憶されている特定の前記オブジェクトの付加情報を更新する情報表示制御システム。
【請求項２】
請求項１に記載の情報表示制御システムであって、
前記表示制御部は、
前記オブジェクトの付加情報の表示を拒否するための情報を含む前記オブジェクトの付加情報を前記画面に表示させる情報表示制御システム。
【請求項３】
請求項２に記載の情報表示制御システムであって、
前記サーバ装置は、
前記配信されたコンテンツに対するユーザ毎の個人閲覧管理情報を記憶する個人閲覧管理情報記憶部と、を更に含み、
前記付加情報制御部は、
前記携帯端末における前記オブジェクトの付加情報の表示を拒否するための入力操作に応じて、前記オブジェクトの付加情報の表示を拒否するユーザである旨の登録を前記個人閲覧管理情報記憶部に行い、前記登録後の前記ユーザからの付加情報要求に対しては、付加情報を送信しない情報表示制御システム。
【請求項４】
請求項３に記載の情報表示制御システムであって、
前記付加情報制御部は、
前記オブジェクトの付加情報の表示を拒否するユーザである旨の登録を前記個人閲覧管理情報記憶部に行った後に前記オブジェクトの付加情報が更新された場合には、前記ユーザからの付加情報要求に対して、前記更新された前記オブジェクトの付加情報を送信する情報表示制御システム。
【請求項５】
請求項１乃至４に記載の情報表示制御システムに接続される携帯端末。
【請求項６】
請求項１乃至４に記載の情報表示制御システムに接続される外部端末。
【請求項７】
要求に応じて配信されたコンテンツ及びコンテンツにおけるオブジェクトの付加情報を画面に表示する携帯端末を制御する携帯端末の制御方法であって、
前記携帯端末にコンテンツを配信した後に、前記携帯端末の画面に対する物体の近接に基づいて前記コンテンツの前記オブジェクトの付加情報が要求されれば、付加情報記憶部に記憶されている前記コンテンツの前記オブジェクトの付加情報を前記携帯端末に配信し、
外部端末より、前記付加情報記憶部に記憶されている特定の前記オブジェクトの付加情報を更新する要求があれば、更新許可情報記憶部に記憶されている特定の前記オブジェクトの付加情報の更新を許可するための更新許可情報に基づいて、特定の前記オブジェクトの付加情報の更新を許可するか否かを認証し、
更新が認証された場合には、前記外部端末からの要求に応じて、前記付加情報記憶部に記憶されている特定の前記オブジェクトの付加情報を更新する携帯端末の制御方法。
【請求項８】
請求項７に記載の携帯端末の制御方法であって、
前記オブジェクトの付加情報には、前記オブジェクトの付加情報の表示を拒否するための情報を含む携帯端末の制御方法。
【請求項９】
請求項８に記載の携帯端末の制御方法であって、
前記携帯端末における前記オブジェクトの付加情報の表示を拒否するための入力操作に応じて、前記オブジェクトの付加情報の表示を拒否するユーザである旨の登録を、ユーザ毎の個人閲覧管理情報を記憶する前記個人閲覧管理情報記憶部に行い、前記登録後の前記ユーザからの付加情報要求に対しては、付加情報を送信しない携帯端末の制御方法。
【請求項１０】
請求項９に記載の携帯端末の制御方法であって、
前記オブジェクトの付加情報の表示を拒否するユーザである旨の登録を前記個人閲覧管理情報記憶部に行った後に前記オブジェクトの付加情報が更新された場合には、前記ユーザからの付加情報要求に対して、前記更新された前記オブジェクトの付加情報を送信する携帯端末の制御方法。